【手続補正書】
【提出日】平成25年3月14日(2013.3.14)
【手続補正１】
【補正対象書類名】特許請求の範囲
【補正対象項目名】全文
【補正方法】変更
【補正の内容】
【特許請求の範囲】
【請求項１】
第１の面部及び該第１の面部に対向する第２の面部を有する誘電体と、
前記誘電体の第１の面部に配設された第１の電極と、
前記誘電体の前記第２の面部に対向して配設された第２の電極と、
前記第２の電極と前記誘電体とを接触させるための押圧部材と、
を備え、
前記第２の電極は、前記押圧部材の当接する当接中心部を有し、当該当接中心部より前記誘電体周辺部の方向へ放射状形状に延伸された部分を少なくとも１つ備えた電極片であり、
前記押圧部材の押圧力に応じて前記誘電体と前記第２の電極の接触面積を変化させることで静電容量を変化させることを特徴とする可変容量コンデンサ。
【請求項２】
前記第２の電極は、更に導電性弾性部材により構成され平板状に形成されたこと
を特徴とする請求項１の可変容量コンデンサ。
【請求項３】
前記第２の電極は、前記当接中心部より前記誘電体周辺部の方向へ放射状形状に延伸された電極片と、前記方向と反対方向に放射状形状に延伸された電極片を有することを特徴とする請求項２の可変容量コンデンサ。
【請求項４】
前記電極片は、前記当接中心部から前記誘電体周辺方向へ延びる扇形形状からなる
ことを特徴とする請求項３の可変容量コンデンサ。
【請求項５】
前記当接中心部の幅と、前記扇形形状の中心角の一方または両方を調整することによって、
前記押圧力に対する前記接触面積に応じた静電容量の変化特性を変える
ことを特徴とする請求項４の可変容量コンデンサ。
【請求項６】
第１の面部及び該第１の面部に対向する第２の面部を有する誘電体と、
前記誘電体の第１の面部に配設された第１の電極と、
前記誘電体の前記第２の面部に対向して配設された第２の電極と、
前記第２の電極と前記誘電体とを接触させるための押圧部材と、
を備え、
前記第２の面部は、中心部から前記誘電体周辺部の方向へ放射状形状に延伸された部分を少なくとも１つ備えた形状を除いた部分について、前記誘電体よりも低い誘電率を有するマスクで覆われ、
前記押圧部材の押圧力に応じて前記第２の電極との接触面積を変化させることで静電容量を変化させることを特徴とする可変容量コンデンサ。
【請求項７】
前記第２の電極は、更に導電性弾性部材により略円柱状に形成され、前記第２の面部と当接する部分は略ドーム形状としたこと
を特徴とする請求項６の可変容量コンデンサ。
【請求項８】
請求項１、請求項２、請求項３、請求項４、請求項５、請求項６または請求項７に記載の可変容量コンデンサを有し、該可変容量コンデンサを回路素子の一部とする共振回路を備えたことを特徴とする位置指示器。
【請求項９】
筆記具様の筺体すなわちペン軸を有する請求項８記載の位置指示器であって、
前記第２の電極と前記誘電体との間に存する相対的な圧力又は変位を変化させる方向が
該ペン軸の長手方向と一致する如く前記可変容量コンデンサを配置し、
前記ペン軸先端に該方向と同じ方向にわずかに摺動可能な芯体を設け、
該芯体に加わる圧力を前記可変容量コンデンサに伝達する如く該芯体と前記可変容量コ
ンデンサを連結したことを特徴とする位置指示器。
【手続補正２】
【補正対象書類名】明細書
【補正対象項目名】００１７
【補正方法】変更
【補正の内容】
【００１７】
【図１】この発明の位置指示器の一実施の形態が用いられた入力装置の外観について説明するための斜視図である。
【図２】この発明の可変容量コンデンサの第１の実施の形態を説明するための断面図である。
【図３】図２に示した第１の実施の形態の可変容量コンデンサの構成する主な部材について説明するための分解斜視図である。
【図４】第１の実施の形態の可変容量コンデンサの第２の電極３の形状の一例を説明するための図である。
【図５】図２に示した可変容量コンデンサの作用を説明するための図である。
【図６】図２に示した可変容量コンデンサの位相−荷重特性を示す図である。
【図７】図２に示した可変容量コンデンサの第２の電極の形状の一例について説明するための図である。
【図８】図２に示した可変容量コンデンサの第２の電極の中心部の幅Ｄの違いに応じた出力特性の違いを説明するための図である。
【図９】図２に示した可変容量コンデンサの第２の電極の延伸部の幅Ｌの違いに応じた出力特性の違いを説明するための図である。
【図１０】図２に示した可変容量コンデンサの第２の電極の形状の他の例について説明するための図である。
【図１１】図２に示した可変容量コンデンサを用いた位置指示器の一実施例を示す図である。
【図１２】この発明の可変容量コンデンサの第２の実施の形態を説明するための断面図である。
【図１３】図１２に示した可変容量コンデンサの構成する主な部材について説明するための分解斜視図である。
【図１４】図１２に示した可変容量コンデンサの作用を説明するための図である。
【図１５】この発明の可変容量コンデンサの第３の実施の形態を説明するための斜視図である。
【図１６】図１５に示した可変容量コンデンサを説明するための断面図である。
【図１７】図１５に示した可変容量コンデンサにかかる導電部材及び誘電体を保持部に取り付けた状態を示す斜視図である。
【図１８】図１５に示した可変容量コンデンサにかかる導電部材の形状を説明するための斜視図である。
【図１９】この発明の可変容量コンデンサの第４の実施の形態を説明するための斜視図である。
【図２０】特許文献２に係るハードタイプの可変容量コンデンサの位相−荷重特性を示す図である。
【図２１】特許文献３に係るソフトタイプの可変容量コンデンサの位相−荷重特性を示す図である。
【図２２】先願に記載された小型可変容量コンデンサの位相−荷重特性を示す図である。
【図２３】特許文献２に係るハードタイプの可変容量コンデンサにおける誘電体と第２の電極との接触面積の変化について説明するための図である。
【図２４】可変容量コンデンサの容量の算出式を示す図である。
【図２５】特許文献２に係るハードタイプの可変容量コンデンサの容量−荷重特性（図２５（Ａ））、面積−荷重特性（図２５（Ｂ））を示す図である。
【手続補正３】
【補正対象書類名】明細書
【補正対象項目名】００２４
【補正方法】変更
【補正の内容】
【００２４】
上記課題を解決するため、請求項１に記載の発明の可変容量コンデンサは、
第１の面部及び該第１の面部に対向する第２の面部を有する誘電体と、
前記誘電体の第１の面部に配設された第１の電極と、
前記誘電体の前記第２の面部に対向して配設された第２の電極と、
前記第２の電極と前記誘電体とを接触させるための押圧部材と、
を備え、
前記第２の電極は、前記押圧部材の当接する当接中心部を有し、当該当接中心部より前記誘電体周辺部の方向へ放射状形状に延伸された部分を少なくとも１つ備えた電極片であり、
前記押圧部材の押圧力に応じて前記誘電体と前記第２の電極の接触面積を変化させることで静電容量を変化させることを特徴とする。
【手続補正４】
【補正対象書類名】明細書
【補正対象項目名】００４６
【補正方法】変更
【補正の内容】
【００４６】
また、第２のハウジング部材６２は第１のハウジング部材６１の内部に収容可能な略円柱状のものであり、第２のハウジング部材６２の軸方向の一端に第１のハウジング部材６１と同一径を有する環状の鍔体６２１を一体的に設けてなるものである。また、第２のハウジング部材６２には図３に示したようにその軸方向に貫通する貫通孔６２２が設けられている。なお、第２のハウジング部材６２の外径は誘電体１、第２の電極３の電極部、スペーサ４、弾性体５の外径と同じである。
【手続補正５】
【補正対象書類名】明細書
【補正対象項目名】００４７
【補正方法】変更
【補正の内容】
【００４７】
押圧体７は、上述もしたように、芯体７１及びキャップ体７２からなるもので、これらはそれぞれ硬い素材及び剛性が高い素材、ここではセラミック及びガラス繊維入りのポリアミドから構成されている。芯体７１は第２のハウジング部材６２の図３に示した貫通孔６２２の内径よりやや小さい外径を有し、その一端７１ａは半球状に形成されている。
【手続補正６】
【補正対象書類名】明細書
【補正対象項目名】００４８
【補正方法】変更
【補正の内容】
【００４８】
キャップ体７２は第２のハウジング部材６２の貫通孔６２２よりやや小さい外径及び芯体７１の外径よりわずかに小さい内径を有し、軸方向の長さは第２のハウジング部材６２よりも短い略有底円筒状をなしている。そして、第１の電極２に対しては端子８が接続され、第２の電極３には端子９が接続するようにされる。これら端子８、９は、例えば、黄銅上にニッケルメッキ及び金メッキを施して成っている。
【手続補正７】
【補正対象書類名】明細書
【補正対象項目名】００４９
【補正方法】変更
【補正の内容】
【００４９】
次に、この第１の実施の形態の可変容量コンデンサの組立て方について説明する。まず、図２、図３に示したように、第１のハウジング部材６１の上部から端子８、９を挿入して取り付ける。次に、第１のハウジング部材６１の内部に一の面１ａに第１の電極２が焼結されて取り付けられている誘電体１、スペーサ４、第２の電極３及び弾性体５を表記の順に積層収納する。この際、誘電体１はその一の面１ａ側、即ち第１の電極２が端子８に当接（接続）される。また、第２の電極３は、後述もするように押圧体７によって押圧された場合に、第２の電極３の蒸着面側がスペーサ４を介して誘電体１の他の面１ｂに接触可能なように配置される。また、第２の電極３の端子部３３ａに端子９が当接（接続）される。
【手続補正８】
【補正対象書類名】明細書
【補正対象項目名】００５２
【補正方法】変更
【補正の内容】
【００５２】
これにより、ハウジング６内に誘電体１及びスペーサ４を挟んでその両側に第１の電極２及び第２の電極３が配置されることになり、これらによってコンデンサが形成される。そして、第２の電極３はスペーサ４を挟んで誘電体１の他の面１ｂに対向するようにされているので、押圧部７を通じて加えられる押圧力に応じて誘電体１の他の面１ｂと第２の電極３との接触面積が変わることになり、これによって可変容量コンデンサが実現される。
【手続補正９】
【補正対象書類名】明細書
【補正対象項目名】００５５
【補正方法】変更
【補正の内容】
【００５５】
中心部３１は、押圧体７を通じて押圧力が加えられた場合に、最初に誘電体１の他の面１ｂと接触する部分であり、押圧体７の当接中心部に一致している。また、別の言い方をすると、図４に示した例の場合、点線の円で示したように、中心部３１は、中心Ｏを含み、中心Ｏを通る中心部３１の中心の長さ（直径）が、長さＤである円状部分であると定義することができる。なお、長さＤは種々選択できるものである。
【手続補正１０】
【補正対象書類名】明細書
【補正対象項目名】００５６
【補正方法】変更
【補正の内容】
【００５６】
また、延伸部３２ａ、３２ｂは、中心Ｏを中心とする中心部３１から、その半径方向（図４においてはｘ軸方向）に放射状形状に伸び、押圧力に応じて誘電体１の他の面１ｂと接触状態となり、該半径方向に直交する方向の長さＬが、中心部３１から離れるに従って長くなるように構成された部分である。なお、図４に示した例の場合、端子部３３ａ、３３ａを除き、ｘ軸を中心にした上下の部分は線対称となり、また、ｙ軸を中心にした左右の部分は線対称となるように形成している。
【手続補正１１】
【補正対象書類名】明細書
【補正対象項目名】００５７
【補正方法】変更
【補正の内容】
【００５７】
なお、延伸部３２ａ側の端子部３３ａは、上述した端子９の接続部となると共に、第２の電極３をハウジング６内に係止するために用いられる部分である。また、延伸部３２ｂ側の端子部３３ａは、第２の電極３をハウジング６内に係止するために用いられる部分である。なお、これら２つの端子部３３ａ、３３ａで形状が異なるのは、例えば、第２の電極の表裏を簡単に区別し、積層状態を間違えるなどの不都合を生じさせることが無いようにするためである。
【手続補正１２】
【補正対象書類名】明細書
【補正対象項目名】００５９
【補正方法】変更
【補正の内容】
【００５９】
図５は、この第１の実施の形態の可変容量コンデンサの作用を説明するための図である。この第１の実施の形態の可変容量コンデンサにおいて、押圧部７の芯体７１に圧力又は変位が全く加わらない状態（初期状態）では、誘電体１の他の面１ｂと第２の電極３とはスペーサ４により、図５（Ａ）に示すようにその周辺部を除いて該スペーサ４の厚みに相当する間隔だけ離れ、その間には空気層１０が形成されることになる。したがって、この時の端子８、９間の容量値（初期容量）はほぼ誘電体１による容量と比誘電率１．０の空気層１０による容量との直列合成容量となり、かなり小さいものとなる。
【手続補正１３】
【補正対象書類名】明細書
【補正対象項目名】００６１
【補正方法】変更
【補正の内容】
【００６１】
その後、芯体７１に加わる圧力又は変位が増加し、図５（Ｂ）に示すように第２の電極３が誘電体１の他の面１ｂに接触すると、該接触部分においては誘電体１による容量のみとなり、端子８、９間の容量値は接触面積にほぼ比例して増加することになる。このようにこの第１の実施の形態の可変容量コンデンサの場合には、押圧体７の一端に加わる圧力又は極く微小な変位に対応して大きく変化する容量値が端子８、９より取出される。
【手続補正１４】
【補正対象書類名】明細書
【補正対象項目名】００６２
【補正方法】変更
【補正の内容】
【００６２】
そして、この第１の実施の形態の可変容量コンデンサの場合、図４に示したように、第２の電極３の形状は、その中心部３１の部分の面積は狭く、延伸部３２ａ、３２ｂの面積は、外側に向かうに従ってより広くなるものとなっている。このため、第２の電極３に加わる押圧力が大きくなるに従って、誘電体１の他の面１ｂと接触する第２の電極３の面積は広くなる。
【手続補正１５】
【補正対象書類名】明細書
【補正対象項目名】００６４
【補正方法】変更
【補正の内容】
【００６４】
図６は、この第１の実施の形態の可変容量コンデンサの位相−荷重特性を示す図である。図６と、従来の可変容量コンデンサの位相−荷重特性を示す図２０〜図２２とを比較すると、次のことが明らかになる。この第１の実施の形態の可変容量コンデンサの場合には、立ち上がり荷重は非常に軽く、また、位相−荷重特性（いわゆる筆圧特性）のふくらみが比較的に小さく、また、ヒステリシスも比較的小さいと言う特性を実現できる。上述した従来の可変容量コンデンサに比べ、立ち上がり荷重が小さく、押圧力に応じた出力値がより線形に近くなり、さらに、ヒステリシスも小さいと言う特性を実現できる。
【手続補正１６】
【補正対象書類名】明細書
【補正対象項目名】００７２
【補正方法】変更
【補正の内容】
【００７２】
これら特性ＦＡ、特性ＦＢを比較すると分かるように、図８（Ａ）に示したように、第２の電極３の中心部３１の直径Ｄが短い場合には、初期接触時の第２の電極３と誘電体１の他の面１ｂとの接触面積を小さく押さえ、その後、接触面積を徐々に大きくすることができる。このため、図８（Ｃ）の特性ＦＡに示したように、位相−荷重特性をリニア（線形）な特性とすることができる。
【手続補正１７】
【補正対象書類名】明細書
【補正対象項目名】００７３
【補正方法】変更
【補正の内容】
【００７３】
これに対して、図８（Ｂ）に示したように、第２の電極３の中心部３１の直径Ｄが長い場合には、初期接触時の第２の電極３と誘電体１の他の面１ｂとの接触面積が比較的に大きくなる。このため、直径Ｄがより短い形状の第２の電極３を用いた場合の位相−荷重特性ＦＡに比べて、立ち上がりはよいものの、線形性は劣化したものとなる。このように、第２の電極３の中心部３１の直径Ｄを調整することによって、位相−荷重特性の主に線形性を調整することができる。
【手続補正１８】
【補正対象書類名】明細書
【補正対象項目名】００８１
【補正方法】変更
【補正の内容】
【００８１】
なお、第２の電極３の形状は上述したものに限るものではない。図１０は、第２の電極３の形状の他の例を説明するための図である。図１０（Ａ）は、上述した第２の電極の形状の場合と同様に、中心部３１、延伸部３２ａ、３２ｂを有するものであるが、延伸部３２ａ、３２ｂの形状が上述したものとは異なっている。
【手続補正１９】
【補正対象書類名】明細書
【補正対象項目名】００８５
【補正方法】変更
【補正の内容】
【００８５】
このように、延伸部の数を増やすことによって、可変容量コンデンサの位相−荷重特性の主に傾きを調整することが可能となる。なお、延伸部の大きさや数は種々の大きさや数とすることが可能であるし、また、中心部３１の形状についても、円形状にしたり、多角形状にしたりするなどのことも可能である。すなわち、中心部３１の中心から外側に向かう方向である半径方向の複数に延伸部を設けるようすることができる。
【手続補正２０】
【補正対象書類名】明細書
【補正対象項目名】００８６
【補正方法】変更
【補正の内容】
【００８６】
また、図１０（Ｄ）、（Ｅ）に示す第２の電極３は、中心部３１、延伸部３２ａ、３２ｂを有するものであるが、中心部３１の形状が上述したものとは異なっている。すなわち、図１０（Ｄ）の第２の電極３の場合には、中心部３１が四角形状のものとされたものである。当該中心部分３１の形状は、正方形、長方形、台形など、種々の四角形状の形状とすることが可能である。また、図１０（Ｅ）の第２の電極部３の場合は、中心部３１が円形状のものとして形成されているものである。なお、円形状の中心部３１の直径は種々の値とすることができる。このように、中心部３１の形状を変えることにより、可変容量コンデンサの主に立ち上がり特性を調整することが可能となる。
【手続補正２１】
【補正対象書類名】明細書
【補正対象項目名】００８８
【補正方法】変更
【補正の内容】
【００８８】
すなわち、中心部及び延伸部を含めた第２の電極３の形状は、押圧力が加えられることにより、誘電体１の他の面１ｂに接触する場合に、接触当初は接触面積を小さく抑え、その後、押圧力に応じて、接触面積が頭打ちとならず、比較的に大きく増加していくものとすればよい。このようにすることによって、可変容量コンデンサの位相−荷重特性（筆圧特性）を立ち上がりがよく、リニア（線形）で、ヒステリシスが小さくなるようにすることができる。
【手続補正２２】
【補正対象書類名】明細書
【補正対象項目名】０１０６
【補正方法】変更
【補正の内容】
【０１０６】
図１４は、この第２の実施の形態の可変容量コンデンサの作用を示す説明図である。この第２の実施の形態の可変容量コンデンサにおいて、芯体７１に圧力又は変位が全く加わらない状態（初期状態）では、誘電体１の他の面１ｂと第２の電極２３とはスペーサ４により、図１４（Ａ）に示すようにその周辺部を除いて該スペーサ４の厚さに相当する間隔だけ離れ、その間には空気層１０が形成されることになる。したがって、この時の端子８、９間の容量値（初期容量）はほぼ誘電体１による容量と比誘電率１．０の空気層１０による容量との直列合成容量に等しくなり、かなり小さいものとなる。
【手続補正２３】
【補正対象書類名】明細書
【補正対象項目名】０１１１
【補正方法】変更
【補正の内容】
【０１１１】
つまり、この第２の実施の形態の可変容量コンデンサの場合にも、図２３〜図２５を用いて説明した従来のハードタイプの可変容量コンデンサのように、押圧力が大きくなるに従って、誘電体１と第２の電極２３との接触面積の増加態様が頭打ちになることが無い。したがって、この第２の実施の形態の可変容量コンデンサの場合、位相−荷重特性についても、荷重が増加するに従って位相の変化が頭打ちになることも無いようにすることができる。
【手続補正２４】
【補正対象書類名】明細書
【補正対象項目名】０１１４
【補正方法】変更
【補正の内容】
【０１１４】
［第２の実施の形態の可変容量コンデンサを用いた位置指示器］
なお、図１１を用いて説明した第１の実施の形態の可変容量コンデンサ１３を用いて形成した位置指示器１００において、可変容量コンデンサ１３を図１２〜図１４を用いて説明した第２の実施の形態の可変容量コンデンサに変えることもできる。これにより、図１２〜図１４を用いて説明した第２の実施の形態の可変容量コンデンサを用いた位置指示器１００を構成することもできる。そして、第２の実施の形態の可変容量コンデンサ１３は、前述したように誘電体及び電極間のわずかな間隔の変化に基づいて容量値が変化するものであり、変位量は極わずか（数十マイクロメートル程度以下）であるため、滑らかで自然な操作感が得られる。
【手続補正２５】
【補正対象書類名】明細書
【補正対象項目名】０１１５
【補正方法】変更
【補正の内容】
【０１１５】
なお、第１、第２の実施の形態では可変容量コンデンサ１３の押圧体の移動方向をペン軸方向に一致させたが、これをペン軸方向と直交させて側面に設けた操作ボタン等を介して指で押圧する如くなすこともできる。
【手続補正２６】
【補正対象書類名】明細書
【補正対象項目名】０１１８
【補正方法】変更
【補正の内容】
【０１１８】
この第３の実施の形態の可変容量コンデンサのハウジング１２１内は、中空の略円筒形をなしており、当該ハウジング１２１内にこの第３の実施の形態の可変容量コンデンサの主要部が搭載され、上部から端子（リード片）１３９と、端子（端子片）１５３とが導き出される。そして、図１６に示すように、当該ハウジング１２１内には、誘電体１２２と、この誘電体１２２を付勢する端子部材１２３と、保持部材１２４と、導電部材１２６と、弾性部材１２７とを備えて構成される。
【手続補正２７】
【補正対象書類名】明細書
【補正対象項目名】０１２０
【補正方法】変更
【補正の内容】
【０１２０】
そして、図１６に示すように、この誘電体１２２は、第２の面部１２２ｂをハウジング１２１の軸方向の他端側に向けて、フランジ部１３１に載置される。更に、この誘電体１２２は、ハウジング１２１のフランジ部１３１に載置した状態で、端子部材１２３によってハウジング１２１の軸方向の他端側へ付勢される。なお、誘電体１２２の形状は、略円盤状だけでなく、略四角形や略六角形等の平板状に形成してもよい。また、第２の面部１２２ｂに鏡面加工を施した例を説明したが、第２の面部１２２ｂに鏡面加工を施さなくてもよい。
【手続補正２８】
【補正対象書類名】明細書
【補正対象項目名】０１２４
【補正方法】変更
【補正の内容】
【０１２４】
また、図１５及び図１６に示すように、端子部材１２３は、２つの係止部１３８，１３８の開口部１３８ａ，１３８ａがハウジング１２１の係止受部１３３，１３３に係止されてハウジング１２１に固定される。このとき、端子部材１２３の平坦部１３７が、誘電体１２２の第１の面部１２２ａに設けた第１の電極部１３６に当接する。また、端子部材１２３は、２つの係止部１３８，１３８に弾性を付与しているため、誘電体１２２をハウジング１２１の軸方向の他端側に付勢する。これにより、平坦部１３７と第１の電極部１３６とを確実に接触させることができ、誘電体１２２と端子部材１２３との接触不良を防止し又は抑制することができる。更に、誘電体１２２がハウジング１２１内で傾くことを防止し又は抑制することも可能である。
【手続補正２９】
【補正対象書類名】明細書
【補正対象項目名】０１３０
【補正方法】変更
【補正の内容】
【０１３０】
図１６及び図１７に示すように、導電部材１２６は、例えば砲弾型に形成されており、その軸方向の一端に曲面部１２６ａを有している。この曲面部１２６ａの形状が、この第３の実施の形態の可変容量コンデンサと先願に係る可変容量コンデンサとでは異なっている。なお、この第３の実施の形態の可変容量コンデンサの導電部材１２６の曲面部１２６ａの形状についての詳細は後述するが、比較の対象とするため、図１７において導電部材１２６の曲面部１２６ａは、先願に係る可変容量コンデンサの形状を示している。
【手続補正３０】
【補正対象書類名】明細書
【補正対象項目名】０１３４
【補正方法】変更
【補正の内容】
【０１３４】
そして、図１６に示すように、導電部材１２６及び弾性部材１２７は、保持部材１２４に取り付けられて、ハウジング１２１の筒孔１２１ａに収納される。このとき、導電部材１２６の軸方向の一端側に形成された曲面部１２６ａが誘電体１２２の第２の面部１２２ｂに対向し、第２の電極部を形成する。
【手続補正３１】
【補正対象書類名】明細書
【補正対象項目名】０１３５
【補正方法】変更
【補正の内容】
【０１３５】
そして、図１６に示すように、芯体７１の指示部（先端）７１ａに対してこの第３の実施の形態の可変容量コンデンサ側に圧力（筆圧）がかかると、当該可変容量コンデンサの保持部材１２４は、芯体７１の軸部７１ｂの他端に押圧される。これにより、保持部材１２４は、ハウジング１２１の軸方向の一端側に移動する。そして、導電部材１２６の曲面部１２６ａが誘電体１２２の第２の面部１２２ｂに接触して第２の電極部を形成する。更に芯体７１の指示部７１ａに圧力がかかると、導電部材１２６は、誘電体１２２の第２の面部１２２ｂに押圧されて変形（扁平化）する。その結果、導電部材１２６と第２の面部１２２ｂとの接触面積が変化することにより、誘電体１２２の容量値が変化する。そして、端子部材１２３と弾性部材１２７の間でその容量値が検出される。これにより、指示部７１ａにかかる圧力を検出することができる。
【手続補正３２】
【補正対象書類名】明細書
【補正対象項目名】０１３７
【補正方法】変更
【補正の内容】
【０１３７】
［導電部材１２６の曲面部１２６ａの形状］
この第３の実施の形態の可変容量コンデンサの導電部材１２６は、上述したように砲弾型に形成されるものである。しかし、この第３の実施の形態の導電部材１２６の曲面部１２６ａは、図１７に示したようにドーム状に形成されたものではない。図１８は、この第３の実施の形態の可変容量コンデンサの導電部材１２６の曲面部１２６ａの形状を示す図である。図１８（Ａ）は、切り欠き部２６ａＲ側から曲面部１２６ａを示す斜視図であり、図１８（Ｂ）は、延伸部２６ａ２側から曲面部１２６ａを示す斜視図である。また、図１８（Ｃ）は、曲面部１２６ａを真上から見た場合の上面図である。
【手続補正３３】
【補正対象書類名】明細書
【補正対象項目名】０１３８
【補正方法】変更
【補正の内容】
【０１３８】
図１８に示すように、この第３の実施の形態の導電部材１２６の曲面部１２６ａは、その両側に切り欠き部２６ａＲ、２６ａＬが設けられ、上面から見ると、中心部２６ａ１と、これを挟む延伸部２６ａ２、２６ａ３とを有するように形成されている。すなわち、中心部２６ａ１と、これを挟む延伸部２６ａ２、２６ａ３とが、誘電体１２２の第２の面部１２２ｂと接触する接触部（第２の電極部）を構成するようにされている。
【手続補正３４】
【補正対象書類名】明細書
【補正対象項目名】０１３９
【補正方法】変更
【補正の内容】
【０１３９】
そして、曲面部１２６ａは、中心部２６ａ１部分の幅が狭く、延伸部２６ａ２、２６ａ３は、外側に向かうほど、半径方向（図１８（Ｃ）において直径Ｄと直交する方向）と直交する方向の長さが長くなる形状とされている。つまり、中心部２６ａ１は、芯体７１を通じて押圧力が加えられた場合に、最初に誘電体１２２の第２の面部１２２ｂと接触する部分である。また、別の言い方をすると、中心部２６ａ１は、図１８（Ｃ）において点線の円で示したように、中心Ｏを含み、中心Ｏを通る中心部２６ａ１の中心の長さ（直径）が、長さＤである円状部分であると定義することができる。なお、長さＤは種々選択できるものである。
【手続補正３５】
【補正対象書類名】明細書
【補正対象項目名】０１４０
【補正方法】変更
【補正の内容】
【０１４０】
また、延伸部２６ａ２、２６ａ３は、中心Ｏを中心とする中心部２６ａ１から、該半径方向に伸び、押圧力に応じて誘電体１２２の第２の面部１２２ｂと接触状態となり、該半径方向に直交する方向の長さＬが、中心部２６ａ１から離れるに従って長くなるように構成された部分である。すなわち、この第３の実施の形態の導電部材１２６の曲面部１２６ａは、誘電体１２２の第２の面部１２２ｂとの接触部分の形状が、図４、図７〜図９を用いて説明した第１、第２の実施の形態の第２の電極３と同様の形状になるように形成されている。
【手続補正３６】
【補正対象書類名】明細書
【補正対象項目名】０１４１
【補正方法】変更
【補正の内容】
【０１４１】
このような形状を有することによって、この第３の実施の形態の可変容量コンデンサの場合にも、芯体７１に押圧力が加わった場合に、最初は導電部材１２６の曲面部１２６ａと誘電体１２２の第２の面部１２２ｂと接触面積は狭く、押圧力が大きくなる従ってより線形（リニア）に接触面積を広くしていくことができるようにされる。
【手続補正３７】
【補正対象書類名】明細書
【補正対象項目名】０１４３
【補正方法】変更
【補正の内容】
【０１４３】
そして、この第３の実施の形態の可変容量コンデンサの場合には、導電部材１２６自体を導電ゴムで形成しているので、押圧力の小さい領域においてもより安定した出力値が得られるようにされる。また、上述したように、導電部材１２６の曲面部１２６ａの形状が、図１８に示したものとなることによって、その位相−荷重特性（筆圧特性）をよりリニア（線形）にすることができると共に、ヒステリシスも比較的に小さくすることができる。
【手続補正３８】
【補正対象書類名】明細書
【補正対象項目名】０１４９
【補正方法】変更
【補正の内容】
【０１４９】
このため、この第４の実施の形態の可変容量コンデンサは、図１５〜図１８を用いて説明した第３の実施の形態の可変容量コンデンサと同様に構成されるものとし、第３の実施の形態の可変容量コンデンサと異なる部分を中心に説明する。
【手続補正３９】
【補正対象書類名】明細書
【補正対象項目名】０１５５
【補正方法】変更
【補正の内容】
【０１５５】
そして、導電部材１２６は、上述した先願（特願２００８−３０５５５６）に係る可変容量コンデンサの導電部材１２６と同じ形状のものである。すなわち、この第４の実施の形態の可変容量コンデンサの導電部材１２６の曲面部１２６ａは、ドーム上の形状を有している。